(57)【要約】      （修正有）【課題】ノートＰＣの小型化かつ薄型化を同時に達成することができる電子部品収納装置を提供する。【解決手段】本体部３の上面の後ろ側に、段差を形成し、そこにキーボード５を設け、キーボード５底面に、板金１３をキーボード５全体を覆うように設置し、板金１３の下にはメモリなどを内蔵し、板金１３の前側の端部１３ａは、キーボード５とＨＤＤ収納部１１との間に位置し、板金１３の端部１３ａの裏面は、ＨＤＤ収納部１１のＨＤＤ用ガイドとして利用する。【選択図】図４
2014085971.tif 000002
【特許請求の範囲】
【請求項１】
電子部品をガイドするガイド部材と、
キーボード底面に設置された板金とを有し、
該板金は前記ガイド部材と平行で高さが等しく、裏面の一部を前記電子部品のガイドとして利用することを特徴とする電子部品収納装置。
【請求項２】
前記電子部品は、ハードディスクドライブであることを特徴とする請求項１記載の電子部品収納装置。
【請求項３】
前記板金裏面には、直接クッションが設けられたことを特徴とする請求項１または２記載の電子部品収納装置。
【請求項４】
請求項１〜３のいずれか１項に記載の電子部品収納装置を備えたことを特徴とする電子機器。
【発明の詳細な説明】
【技術分野】
【０００１】
本発明は、電子部品を収納する電子部品収納装置および電子機器に関する。
【背景技術】
【０００２】
従来から、ノート型パーソナルコンピュータ（ノートＰＣ）の本体側筐体の底面にハードディスクドライブ（ＨＤＤ）を挿抜可能に取り付けるためのＨＤＤ収納部が設けられた構成では、そのＨＤＤ収納部の底面、つまり本体側筐体におけるキーボード側の面に、ＨＤＤを保持すると共に、ＨＤＤをコネクタ位置にガイドするガイド部材が設けられる。
【０００３】
また、ガイド部材には、ＨＤＤ保持用のクッションが設けられるのが一般的である。従来品のガイド部材は、材料がプラスチックで１．２ｍｍ厚程度である。
【０００４】
特許文献１には、シールド効果が得られるように板金でＨＤＤが固定され、ＨＤＤがノートＰＣの前側の端部に収納された電子機器が開示されている。
【先行技術文献】
【特許文献】
【０００５】
【特許文献１】特開２００７−３２８５３１号公報
【発明の概要】
【発明が解決しようとする課題】
【０００６】
しかし、特許文献１に開示されている技術や従来技術は、本体側筐体の小型化を図ると、キーボードとＨＤＤ収納部とをオーバーラップさせる構造になるが、キーボードを載置する板金とＨＤＤ収納部のガイド部材とが重なってしまい、本体筐体の厚みを薄くすることができないという問題があった。
【０００７】
本発明は、前記課題を解決するためのものであり、その目的とするところは、ノートＰＣの小型化かつ薄型化を同時に達成することができる電子部品収納装置を提供することにある。
【課題を解決するための手段】
【０００８】
かかる目的を達成するために、本発明は、以下の特徴を有する。
【０００９】
本発明に係る電子部品収納装置は、電子部品をガイドするガイド部材と、キーボード底面に設置された板金とを有し、該板金は前記ガイド部材と平行で高さが等しく、裏面の一部を前記電子部品のガイドとして利用することを特徴とする。
【発明の効果】
【００１０】
本発明によれば、ノートＰＣの小型化かつ薄型化を同時に達成することができる。
【図面の簡単な説明】
【００１１】
【図１】本実施形態に係るノートＰＣの正面図である。
【図２】本実施形態に係るノートＰＣの側面図である。
【図３】本実施形態に係るノートＰＣの裏面図である。
【図４】本実施形態に係るノートＰＣのＡ−Ａ断面図である。
【発明を実施するための形態】
【００１２】
以下、本実施形態について図面により詳細に説明する。
【００１３】
図１は、本実施形態に係るノートＰＣ１の正面図である。ノートＰＣ１は、表示部２と本体部３とがヒンジ４により、開閉可能に支持されている。表示部２には、その前面に、表示パネルを構成する、情報表示用の表示画面が配置されており、その表示画面の周囲が前枠で覆われている。
【００１４】
本体部３には、ＣＰＵやその他多数の電子部品が内蔵されており、プログラムの実行により様々な演算処理が行なわれる。本体部３の後ろ側には、操作に応じた指示を入力するキーボード５が設けられ、多数のキーが前後左右に並んでいる。前側には、操作に応じて表示画面上の任意のポイントを指示するポインティングデバイスの一種であるトラックパッド８が設けられている。
【００１５】
図２は、本実施形態に係るノートＰＣ１の側面図である。表示部２と本体部３とは、ヒンジ４を軸として折り畳まれた状態である。本体部３の前側に、ＣＤやＤＶＤ等の媒体が装填されて装填された媒体をドライブするディスクドライブ６が設置され、本体部３の上面に、キーボード５が設けられている。本体部３の底面には、ノートＰＣ１の滑りを防止するゴム足７が複数設けられている。
【００１６】
図３は、本実施形態に係るノートＰＣ１の裏面図である。図４は、本実施形態に係るノートＰＣ１のＡ−Ａ断面図である。
【００１７】
本体部３の裏面の前側には、ＨＤＤが収納されるＨＤＤ収納部１１が設けられている。本体部３の一端側にディスクドライブ６が設置され、両端には複数のケーブルを接続することができる。ＨＤＤ収納部１１の前側には、ＨＤＤをコネクタ位置にガイドするガイド部材１２が設置されている。ガイド部材１２は、樹脂または板金で形成されている。
【００１８】
ＨＤＤ収納部１１の後ろ側には、キーボード５が載置されている板金１３の端部の一部が、本体部３の上面の裏面に固定されている。なお、板金１３はステンレス板やアルミ板、合金などを使用しているが、板金ではなく樹脂で成形された板を使用してもよい。
【００１９】
ガイド部材１２と板金１３との両端には、長方形のクッション１４が固定されている。ＨＤＤ収納部１１の前後の側面にも、長方形のクッション１５が固定され、ガイド部材１２と板金１３とに固定されたクッション１４に対して垂直に接している。
【００２０】
図４に示すように、本体部３の上面の後ろ側では、段差が形成され、そこにキーボード５が設けられ、キーが並列に並んでいる。キーボード５底面には、板金１３がキーボード５全体を覆うように設置され、板金１３の下にはメモリなどが内蔵されている。
【００２１】
板金１３の前側の端部１３ａは、キーボード５とＨＤＤ収納部１１との間に位置し、板金１３の端部１３ａの裏面は、ＨＤＤ収納部１１のＨＤＤ用ガイドとして利用することができる。板金１３の端部１３ａは、ガイド部材１２と同じ高さに位置し、ガイド部材１２と平行に延在している。
【００２２】
ガイド部材１２と板金１３の両端には、長方形のクッション１４が固定されている。ＨＤＤ収納部１１の両側面には、ガイド部材１２と板金１３のクッション１４と垂直に、長方形のクッション１５が固定されている。ＨＤＤ収納部１１には、ＨＤＤ１６が収納され、ＨＤＤ１６をクッション１４，１５で保持することにより、振動などの衝撃を抑制することができる。
【００２３】
図３に示すように、ＨＤＤ収納部１１にＨＤＤ１６をガイド部材１２と板金１３でガイドし、ＨＤＤ１６をコネクタ１７に接続する。コネクタ１７は、図示しない配線基板に電気的に接続されている。ＨＤＤ収納部１１にＨＤＤ１６を収納後、ＨＤＤ収納部１１に形成されたＨＤＤカバー縁部１８にＨＤＤカバーを嵌め込み、ネジを締めることにより、ＨＤＤカバーが取り付けられる。
【００２４】
本発明によれば、ノートＰＣ１の本体部３の小型化を図ると、キーボード５とＨＤＤ収納部１１とをオーバーラップさせる構造になるが、キーボード５を載置する板金１３の端部１３ａの一部をＨＤＤ収納部１１のガイドに利用することができるので、本体部３の厚みを薄くすることができる。
【符号の説明】
【００２５】
１    ノートＰＣ
３    本体部
５    キーボード
１１    ＨＤＤ収納部
１２    ガイド部材
１３    板金
１３ａ    端部
１４    クッション
１６    ＨＤＤ
１７    コネクタ
【図１】
2014085971.tif 000003
【図２】
2014085971.tif 000004
【図３】
2014085971.tif 000005
【図４】
2014085971.tif 000006